(57)【特許請求の範囲】
【請求項１】
靴底に貼付して足裏を刺激する足裏刺激具であって、
底面を靴底に貼付される袋体と、
前記袋体に密に封入された４以上の突起体とを備え、
前記４以上の突起体のうちの３以上が足裏の凹部に配される凹部用突起体であり、
前記４以上の突起体のうちの１以上が足裏の押圧対象部に配される凸部用突起体であり、
前記靴底における前記凹部用突起体を所定の固定位置に固定することによって定まる他の突起体の位置に関し、前記凸部用突起体の位置が所定の刺激位置であることを特徴とする足裏刺激具。
【請求項２】
前記凸部用突起体の前記底面に対する高さが、前記凹部用突起体の前記底面に対する高さよりも高いことを特徴とする、請求項１に記載の足裏刺激具。
【請求項３】
前記袋体に液体が充填されていることを特徴とする、請求項１又は２に記載の足裏刺激具。
【請求項４】
前記固定位置は、（１）第１基節骨と第２基節骨の間、（２）第３基節骨と第４基節骨の間又は第４基節骨と第５基節骨の間、及び（３）第１中足骨の外側の土踏まず部分であり、
前記刺激位置は、（１）短母趾屈筋の第二趾寄りの中央、（２）第二趾に結合された母趾内転筋の第二趾寄りの箇所、及び（３）第三趾に結合された母趾内転筋の足首寄りの箇所であることを特徴とする、請求項１〜３にいずれか１項に記載の足裏刺激具。
【発明の詳細な説明】
【技術分野】
【０００１】
本発明は、突起物によって足裏を押す足裏刺激具に関する。
【背景技術】
【０００２】
足裏には多くのツボがあり、ツボに刺激を与えることで体調を良くする効果が得られるため、足を載せてツボに刺激を与える用具（多くは足裏を押す突起を有するもの）が広く知られていた。特に、特許文献１に開示されたように、靴中敷によって足裏を刺激するものが多かった。
【０００３】
また、靴中敷等に突起を有することでは、特許文献２に開示されたように、足の骨が形成するアーチをサポートすることも可能であった。
【０００４】
靴中敷などに突起を設けてツボへの刺激を行う場合には、突起の位置の調整が容易でない。足の各所の位置には個人差があり、使用者の各々に合わせて突起の位置を調整することが好ましいためである。
【０００５】
この点、特許文献３には、押圧部材の位置を移動させることのできる足裏刺激具が開示されている。また、特許文献４には、正確な刺激位置の周辺に複数の磁極を設ける足裏刺激具が開示されている。しかし、特許文献３に開示されたものは使用者自身による位置調整が必要であり、特許文献４に開示されたものは押圧する突起に適用することができない。
【先行技術文献】
【特許文献】
【０００６】
【特許文献１】特開２００７−０６１２３５号公報
【特許文献２】特開２０１２−２４５０２９号公報
【特許文献３】特開２０１３−０４８８７４号公報
【特許文献４】特開２００８−１７３３０９号公報
【発明の概要】
【発明が解決しようとする課題】
【０００７】
本発明は、突起を用いてツボを押圧する又はアーチをサポートする足裏刺激具であって、突起を正確な位置に配することのできる足裏刺激具を提供することを課題とする。
【０００８】
ツボの位置は、足裏の他の点との相対的な位置として知られている場合が多い。例えば２つの固定位置の「中点」というようなものである。足裏全体に対してツボの位置を定めることが困難であっても、かかる固定位置に対するツボの相対位置を定めることは容易である。本発明は、この事実に基づいて足裏を刺激する突起体の位置を定める。
【課題を解決するための手段】
【０００９】
本発明の足裏刺激具は、
靴底に貼付して足裏を刺激する足裏刺激具であって、
底面を靴底に貼付される袋体と、
前記袋体に密に封入された４以上の突起体とを備え、
前記４以上の突起体のうちの３以上が足裏の凹部に配される凹部用突起体であり、
前記４以上の突起体のうちの１以上が足裏の押圧対象部に配される凸部用突起体であり、
前記靴底における前記凹部用突起体を所定の固定位置に固定することによって定まる他の突起体の位置に関し、前記凸部用突起体の位置が所定の刺激位置であることを特徴とする。
【００１０】
足裏刺激具を足裏に装着した際に、凹部用突起体は足裏の凹部に誘導され正確に配置される。凸部用突起体が足裏を押圧する（又はアーチをサポートする）ものである。押圧対象部が筋肉の位置等の足裏の凸部である場合、凸部用突起体を正確に配置することが困難であった。本発明の足裏刺激具は、全ての突起体が袋体に密に封入されているため、凹部用突起体の凹部用突起体に対する相対位置が安定する。例えば、３つの凹部用突起体によって定まる三角形（足裏の凹部の位置によって定まるので使用者に依存して微妙に相違する三角形）に対して、凸部用突起体の位置（三角形の頂点に対する相対座標）が安定する。凸部用突起体を正確に配置することが可能となる。なお、足裏の平面（２次元空間）における座標の基準点とするため、凹部用突起体が３以上必要である。
【００１１】
本発明の足裏刺激具は、
前記凸部用突起体の前記底面に対する高さが、前記凹部用突起体の前記底面に対する高さよりも高いことを特徴とする。
【００１２】
凸部用突起体が、ツボを押圧し又はアーチをサポートするために十分な高さとなる。
【００１３】
本発明の足裏刺激具は、
前記袋体に液体が充填されていることを特徴とする。
【００１４】
袋体内で突起体が移動する際に、袋体の表面の形状が急激に変化することがなくなる。袋体を保護するものである。
【００１５】
本発明の足裏刺激具は、
前記固定位置は、（１）第１基節骨と第２基節骨の間、（２）第３基節骨と第４基節骨の間又は第４基節骨と第５基節骨の間、及び（３）第１中足骨の外側の土踏まず部分であり、
前記刺激位置は、（１）短母趾屈筋の第二趾寄りの中央、（２）第二趾に結合された母趾内転筋の第二趾寄りの箇所、及び（３）第三趾に結合された母趾内転筋の足首寄りの箇所であることを特徴とする。
【００１６】
後述の実施例に示すとおり、本発明の足裏刺激具が大きな効果を有する形態である。
【発明の効果】
【００１７】
本発明の足裏刺激具は、突起を用いてツボを押圧する又はアーチをサポートすることができ、突起を正確な位置に配することができる。
【図面の簡単な説明】
【００１８】
【図１】図１は、足裏刺激具を示す図である。（実施例１）
【図２】図２は、足裏刺激具の断面を示す図である。（実施例１）
【図３】図３は、足裏刺激具と骨の位置関係を示す図である。（実施例２）
【図４】図４は、足裏刺激具と筋肉の位置関係を示す図である。（実施例２）
【図５】図５は、足裏刺激具とアーチの関係を示す図である。（実施例２）
【発明を実施するための形態】
【００１９】
以下、本発明の足裏刺激具の構成を示す実施例１、本発明の足裏刺激具の具体的な使用と効果を示す実施例２について説明する。
【実施例１】
【００２０】
図１は、足裏刺激具を示す図である。図は、右足用の足裏刺激具１を足裏側から見た図である。足裏刺激具１は、袋体２に多くの（少なくとも４の）突起体が密に封入されたものである。
【００２１】
突起体には、凸部用突起体３（３ａ、３ｂ、．．．）、凹部用突起体４（４ａ、４ｂ、．．．）及びその他の突起体５が含まれる。なお、その他の突起体５は必ずしも必要ではなく、凸部用突起体３及び凹部用突起体４のみとすることもできる。
【００２２】
突起体は、袋体の中で移動することができるが、多くの突起体が密に封入されているため、隣接する突起体によって移動が制限される、すなわち、１つの突起体は他の突起体を超えて移動することができず、各々の突起体が他のいずれの突起体に接触するか（突起体の相対的な位置）は不変である。「密に」とは、突起体の相対的な位置が不変である程度の密度で突起体が封入されている状態を示す。図１に示すものは、突起体をいかに動かしても２の突起体の間隔が隣接する突起体の短径を超えて広がることができず（すなわち隣接売る突起体が２の突起体の間を通って移動することができず）、密に封入されたものである。
【００２３】
凹部用突起体４は、足裏刺激具１に足を載せた際に、足裏の凹部に位置して移動しない。足裏刺激具１に足を載せると、３つの凹部用突起体４ａ、４ｂ及び４ｃの位置が固定される。足裏に係る２次元平面で３点が固定されるので、足裏刺激具１の位置も（足裏に対する）位置も固定される。
【００２４】
以下、凹部用突起体４以外の突起体の位置について説明する。
【００２５】
３つの凹部用突起体４が図のとおりに固定される（足裏の実際の構造が足裏刺激具１の構造と一致する）場合には、他の突起体も、突起体間の微小な間隔の分の誤差はあるが、図の位置に固定される。
【００２６】
足裏の実際の構造が足裏刺激具１の構造と一致せず、３つの凹部用突起体４が図とは異なるように固定される場合には、３つのうちの２つの凹部用突起体４の間隔の図に対する拡縮に対応して、その２つの凹部用突起体４を結ぶ線上で図を拡縮した状態となる。足裏刺激具１全体としては、突起体間の微小な間隔に基づく誤差はあるが、図に対して３つの凹部用突起体４の位置を移動させるような線形変換を行った状態となる。（３つの凹部用突起体４のうちの１つを原点とし、他の２つの凹部用突起体４の足裏に相当する平面における座標を固定される座標に移動するような線形変換行列を作用させることに等しい。）
【００２７】
以上、凹部用突起体４が３つの場合を例に説明したが、４つ以上の場合には、凹部用突起体４のうちの３つによって構成される三角形に分割して同様に考えることができる。力学的には厳密ではないが、かかる考え方によって近似しても実態との差は小さい。
【００２８】
以上のとおり、凹部用突起体４以外の突起体の位置が所定の位置となり、凸部用突起体３がツボを押圧する等の設計された位置に配される。
【００２９】
図２は、足裏刺激具の断面を示す図である。図１におけるＡ−Ａ線の断面を示すものである。袋体２は、底面部２ａ及び表面部２ｂから構成され、底面部２ａが靴底、靴中敷等に付着される。底面部２ａを靴底、靴中敷等に接着する、底面部２ａに粘着剤を付しそれを被うシートを剥離して付着する、その他各種の方法で付着させることができる。
【００３０】
袋体２の内部には、突起体に加え、ゲル６が封入されている。ゲル６は、突起体が移動した際に袋体２の表面の形状の変化を小さくする。なお、ゲル以外の液体によっても同様の効果を得ることができる。
【００３１】
凸部用突起体３の高さＨ２は、凹部用突起体４の高さＨ１よりも大きい。凸部用突起体３は、ツボ等を十分な強さで押圧する。
【００３２】
以上詳細に説明したように、本実施例の足裏刺激具１は、凹部用突起体４に位置が固定されることにより、凸部用突起体３がツボを押圧する等の設計された位置に配される。足裏の構造が使用者によって多少相違しても、凸部用突起体３が効果を表す。
【実施例２】
【００３３】
本実施例は、足裏刺激具１の具体的な使用と効果を示すものである。足裏刺激具１の構造は実施例１と同様であり、詳細な説明を省略する。
【００３４】
図３は、足裏刺激具と骨の位置関係を示す図である。足裏刺激具１を、靴底の前方の図に合わせた位置に貼付することができ、その場合の足裏刺激具と骨の位置を示すものである。凹部用突起体４ａは第１基節骨７ａと第２基節骨７ｂの間に、凹部用突起体４ｂは第３基節骨７ｃと第４基節骨７ｄの間に、凹部用突起体４ｃは第１中足骨７ｅの外側の土踏まず部分に配されている。３つの凹部用突起体４ａ、４ｂ、４ｃが、骨の間で固定される。これにより、足裏刺激具１の足裏に対する位置も固定される。
【００３５】
図４は、足裏刺激具と筋肉の位置関係を示す図である。図３の状態に足裏刺激具を固定した場合のものである。凸部用突起体３ａは第二趾に結合された母趾内転筋８ａの第二趾寄りの箇所、凸部用突起体３ｂは第三趾に結合された母趾内転筋８ｂの足首寄りの箇所、凸部用突起体３ｃは短母趾屈筋８ｃの第二趾寄りの中央に、凸部用突起体３ｄは底側骨間筋８ｄの箇所に配されている。図２に示すとおり、凸部用突起体３は十分な高さを持ち、当該箇所を押圧する。
【００３６】
凸部用突起体３ａ及び凸部用突起体３ｂが母趾内転筋８ａ及び８ｂを押圧することにより、快適な指圧効果を得ることができる。
【００３７】
凸部用突起体３ｃが短母趾屈筋８ｃを押圧することにより、第一趾が外側に押される。また、凸部用突起体３ｄが底側骨間筋８ｄを押圧することにより第五趾が外側に押される。これらの効果を合わせて、足指を拡げる快適な効果を得ることができる。
【００３８】
図５は、足裏刺激具とアーチの関係を示す図である。足裏のアーチは歩行時の体重を支える等の効果を有している。凸部用突起体３ａ、３ｂ及び３ｃは、図に示すように中足骨７ｂをしたから支え、アーチをサポートする。
【００３９】
以上詳細に説明したように、本実施例の足裏刺激具１は、押圧によって効果をもたらし、アーチをサポートする。
【産業上の利用可能性】
【００４０】
突起を用いてツボを押圧する又はアーチをサポートする足裏刺激具であって、突起を正確な位置に配することのできる足裏刺激具である。多くの個人、医療従事者による利用が期待される。
【符号の説明】
【００４１】
１    足裏刺激具
２    袋体
３    凸部用突起体
４    凹部用突起体
５    突起体
６    ゲル
７    骨
８    筋肉
【要約】
【課題】突起を用いてツボを押圧する又はアーチをサポートする足裏刺激具であって、突起を正確な位置に配することのできる足裏刺激具を提供すること。
【解決手段】底面を靴底に貼付される袋体２に４以上の突起体を密に封入し、３以上が足裏の凹部に配される凹部用突起体３によって各々の突起体の位置を定め、足裏の押圧対象部に配される凸部用突起体４を正確に配置する。凸部用突起体４は、ツボを押圧し、アーチをサポートする。例えば母趾内転筋への押圧を確実に実施することができ、外反母趾の予防に役立つ。
【選択図】図１【図１】
0005725634.tif 000002
【図２】
0005725634.tif 000003
【図３】
0005725634.tif 000004
【図４】
0005725634.tif 000005
【図５】
0005725634.tif 000006